(57)【要約】【課題】  ３Ｄ画像表示用として専用に構成されたレンチキュラレンズ付き３Ｄ画像表示装置をそのまま利用して２Ｄ画像を違和感なく表示する。【解決手段】  一画素に対応する各素子に供給される各画素データのうち、一部を１画素分シフトする。具体的には、赤用素子、緑用素子、青用素子に供給される赤データ、緑データ、青データのうち、１つを全体として右に１画素分シフトしたものを一パターンとし、他の２つを右に１画素分シフトしたものを他のパターンとする。パターンＡとして、緑データ（・・，ｎ−２（ｇ），ｎ−１（ｇ），ｎ（ｇ），ｎ＋１（ｇ），・・）を１画素分右へシフトする。あるいは、パターンＢとして、赤データ（・・，ｎ−２（ｒ），ｎ−１（ｒ），ｎ（ｒ），ｎ＋１（ｒ），・・）及び青データ（・・，ｎ−２（ｂ），ｎ−１（ｂ），ｎ（ｂ），ｎ＋１（ｂ），・・）を１画素分右へシフトする。【選択図】  図１
2015165254.tif 000002
【特許請求の範囲】
【請求項１】
赤用表示素子、緑用表示素子、及び青用表示素子を組として水平方向に複数組巡廻的に配設したものを垂直方法に複数配設することにより構成された表示機器と、
その表示機器の前面に配設されたレンチキュラレンズと、
を備えた三次元画像表示装置を用いた二次元画像表示方法であって、
赤データ、緑データ、及び青データの組で構成された画素データを複数含む画像データを前記表示機器の対応する素子に供給して画像を表示するにあたり、緑データを水平方向の右又は左に１画素分ずらしたパターン、並びに赤データ及び青データを右又は左に１画素分ずらしたパターンの少なくとも一方を供給することを特徴とする二次元画像表示方法。
【請求項２】
緑データを水平方向の右又は左に１画素分ずらしたパターンと、赤データ及び青データを右又は左に１画素分ずらしたパターンとを混在させて供給することを特徴とする請求項１に記載の二次元画像表示方法。
【請求項３】
前記画像データを前記表示機器の一画面に相当するフレームデータとして供給する際に、各フレームデータ内に、緑データを水平方向の右又は左に１画素分ずらしたパターンと、赤データ及び青データを右又は左に１画素分ずらしたパターンとを垂直方向に混在させて供給することを特徴とする請求項２に記載の二次元画像表示方法。
【請求項４】
各フレームデータ内に、緑データを水平方向の右又は左に１画素分ずらしたパターンと、赤データ及び青データを右又は左に１画素分ずらしたパターンとを垂直方向に交互に配置して供給することを特徴とする請求項３に記載の二次元画像表示方法。
【請求項５】
前記画像データを前記表示機器の一画面に相当するフレームデータとして供給する際に、緑データを水平方向の右又は左に１画素分ずらしたパターンで満たされたフレームデータと、赤データ及び青データを右又は左に１画素分ずらしたパターンで満たされたフレームデータとを時間方向に混在させて供給することを特徴とする請求項２に記載の二次元画像表示方法。
【請求項６】
緑データを水平方向の右又は左に１画素分ずらしたパターンで満たされたフレームデータと、赤データ及び青データを右又は左に１画素分ずらしたパターンで満たされたフレームデータとを時間方向に交互に配置して供給することを特徴とする請求項５に記載の二次元画像表示方法。
【請求項７】
前記画像データを前記表示機器の一画面に相当するフレームデータとして供給する際に、緑データを水平方向の右又は左に１画素分ずらしたパターンと、赤データ及び青データを右又は左に１画素分ずらしたパターンとが垂直方向に混在して含まれる第一フレームデータと、第一フレームデータにおいて両パターンを入れ替えることにより形成した第二フレームデータとを時間方向に混在させて供給することを特徴とする請求項２に記載の二次元画像表示方法。
【請求項８】
前記第一フレームデータは、緑データを水平方向の右又は左に１画素分ずらしたパターンと、赤データ及び青データを右又は左に１画素分ずらしたパターンとを垂直方向に交互に配置して供給することを特徴とする請求項７に記載の二次元画像表示方法。
【請求項９】
前記第一フレームデータと前記第二フレームデータとを時間方向に交互に配置して供給することを特徴とする請求項７又は８に記載の二次元画像表示方法。
【発明の詳細な説明】
【技術分野】
【０００１】
本発明は、レンチキュラレンズ付き３Ｄ表示装置を用いた２Ｄ画像表示方法に関し、特に、レンチキュラレンズ付き３Ｄ表示装置に特別な機器構成変更を加えることなくそのままで違和感のない良好な２Ｄ画像を見ることができる２Ｄ画像表示方法に関する。
【背景技術】
【０００２】
裸眼で三次元（以下、「３Ｄ」と称す）画像を見ることができるようにするための機器として、画面（例えば液晶画面）とレンチキュラレンズを組み合わせたもの（以下、「レンチキュラレンズ付き３Ｄ画像表示装置」と称す）がある。かかる装置によれば、裸眼のままで手軽に３Ｄ画像を観賞できるという利点がある。
【０００３】
一方、かかる手軽な装置を採用して３Ｄ画像を表示することを基本として、用途によっては、３Ｄ画像の表示を主としつつも二次元（以下、「２Ｄ」と称す）画像を同じ表示装置を利用して表示したい場合もある。例えば、医療の分野において、患者の患部の３Ｄ映像の表示を主としつつ、画面を切り替えて、又は並列して、例えば表形式で表された患者データを表示するような場合である。
【０００４】
しかしながら、レンチキュラレンズ付き３Ｄ画像表示装置は、本来的には３Ｄ画像を専用で見るためのものであるから、そのままでは通常の２Ｄ用表示装置のようには表示できない。すなわち、何らかの変更や工夫が必要となる。
【０００５】
本来的なレンチキュラレンズ付き３Ｄ画像表示装置に何らかの工夫を加えて２Ｄ画像も見ることができるようにした装置が、例えば特許文献１に開示されている。当該文献においては、レンチキュラレンズに併設して、レンチキュラレンズのレンズ効果を相殺できるような屈折率可変材料を採用することにより、２Ｄ画像用の一般的な表示装置と同様に表示できる装置を提案している。
【先行技術文献】
【特許文献】
【０００６】
【特許文献１】特開平９−２６１６３５号公報
【発明の概要】
【発明が解決しようとする課題】
【０００７】
しかしならが、特許文献１のように装置自体に構造的に工夫を加える手法では、その分、装置が物理的に大型化・複雑化してしまう。従って、レンチキュラレンズ付き３Ｄ画像表示装置の物理的な構成に手を加えずに２Ｄ画像を見ることができるようすることが好ましい。
【０００８】
そこで、レンチキュラレンズ付き３Ｄ画像表示装置の構成そのままで、２Ｄ画像を表示することを考えてみる。図６（ａ）は、通常のレンチキュラレンズ付き３Ｄ画像表示装置において、左右の眼に到達する光の経路を表す図である。液晶装置に限らず、カラー画像を形成するためには、一画素に対して一組の赤（ｒ）、緑（ｇ）、青（ｂ）用の素子が対応し、それが水平方向に巡廻的に配設されて表示素子群１１が形成されている。そして、更に、その複数が垂直方法に積み重なって表示画面（機器）が形成される。ここで、同図に示すように、各素子を出た光は、レンチキュラレンズ１２により屈折されて、左眼と右眼のいずれかの方向に導かれる。ここで、かかるレンチキュラレンズ付き３Ｄ画像表示装置に、そのまま２Ｄ画像のデータを供給して教示することを考える。２Ｄ画像を表示するための各画素データ（・・・，ｎ−１，ｎ，ｎ＋１，ｎ＋２，・・・）は、同図に示すように各素子に割り当てられる。ここで注目するのは、例えば同図に示した中で、最も左の左眼へ行くデータ組は、ｎ−１（ｒ），ｎ−１（ｂ），及びｎ（ｇ）であり、隣の画素に跨いで組となっているということである。同図に示す他のデータ組も同様である。従って、このような装置構成及び機能によれば、特定の２Ｄ画像は、非常に見づらいものとなってしまう。例えば、水平方向に１画素のデータで構成される垂直方向に延びる直線を含むような２Ｄ画像である。かかる画像においては、例えば、白地に黒の直線では隣の白色画素の影響で赤色に見えてしまったり、黒地に白の直線では隣の黒色画素の影響で黄色に見えてしまったりする。
【０００９】
上記課題を解決するためには、一案として、図６（ｂ）に示すように、各画素データを水平方向に２倍にして割り当てるという手法が考えられる。しかしながら、かかる手法では、画像全体の解像度が２分の１となってしまう。
【００１０】
本発明は上述のような事情から為されたものであり、本発明の目的は、３Ｄ画像表示用として専用に構成されたレンチキュラレンズ付き３Ｄ画像表示装置をそのまま利用して２Ｄ画像を違和感なく良好に表示することができる２Ｄ画像表示方法を提供することにある。
【課題を解決するための手段】
【００１１】
上記目的を達成するため、本発明の三次元画像表示装置を用いた二次元画像表示方法は、赤用表示素子、緑用表示素子、及び青用表示素子を組として水平方向に複数組巡廻的に配設したものを垂直方法に複数配設することにより構成された表示機器と、その表示機器の前面に配設されたレンチキュラレンズと、を備えた三次元画像表示装置を用いた二次元画像表示方法であって、赤データ、緑データ、及び青データの組で構成された画素データを複数含む画像データを前記表示機器の対応する素子に供給して画像を表示するにあたり、緑データを水平方向の右又は左に１画素分ずらしたパターン、並びに赤データ及び青データを右又は左に１画素分ずらしたパターンの少なくとも一方を供給することを要旨とする。
【００１２】
特に、緑データを水平方向の右又は左に１画素分ずらしたパターンと、赤データ及び青データを右又は左に１画素分ずらしたパターンとを混在させて供給することが好適である。
【００１３】
具体的には、前記画像データを前記表示機器の一画面に相当するフレームデータとして供給する際に、各フレームデータ内に、緑データを水平方向の右又は左に１画素分ずらしたパターンと、赤データ及び青データを右又は左に１画素分ずらしたパターンとを垂直方向に混在させて供給することが好適である。
【００１４】
ここで、典型的には、各フレームデータ内に、緑データを水平方向の右又は左に１画素分ずらしたパターンと、赤データ及び青データを右又は左に１画素分ずらしたパターンとを垂直方向に交互に配置する。
【００１５】
あるいは、前記画像データを前記表示機器の一画面に相当するフレームデータとして供給する際に、緑データを水平方向の右又は左に１画素分ずらしたパターンで満たされたフレームデータと、赤データ及び青データを右又は左に１画素分ずらしたパターンで満たされたフレームデータとを時間方向に混在させて供給することが好適である。
【００１６】
ここで、典型的には、緑データを水平方向の右又は左に１画素分ずらしたパターンで満たされたフレームデータと、赤データ及び青データを右又は左に１画素分ずらしたパターンで満たされたフレームデータとを時間方向に交互に配置する。
【００１７】
あるいは、前記画像データを前記表示機器の一画面に相当するフレームデータとして供給する際に、緑データを水平方向の右又は左に１画素分ずらしたパターンと、赤データ及び青データを右又は左に１画素分ずらしたパターンとが垂直方向に混在して含まれる第一フレームデータと、第一フレームデータにおいて両パターンを入れ替えることにより形成した第二フレームデータとを時間方向に混在させて供給することが好適である。
【００１８】
ここで、典型的には、前記第一フレームデータは、緑データを水平方向の右又は左に１画素分ずらしたパターンと、赤データ及び青データを右又は左に１画素分ずらしたパターンとを垂直方向に交互に配置する。また、あるいは加えて、前記第一フレームデータと前記第二フレームデータとを時間方向に交互に配置する。
【発明の効果】
【００１９】
本発明のレンチキュラレンズ付き３Ｄ表示装置を用いた２Ｄ画像表示方法によれば、３Ｄ画像表示用として専用に構成されたレンチキュラレンズ付き３Ｄ画像表示装置をそのまま利用して２Ｄ画像を違和感なく良好に表示することができる。
【図面の簡単な説明】
【００２０】
【図１】本発明の一実施形態を説明するための図である。
【図２】本発明の一実施形態（二次元空間方向の改善）を説明するための図である。
【図３】本発明の一実施形態（時間方向の改善）を説明するための図である。
【図４】本発明の一実施形態（二次元空間方向及び時間方法双方の改善）を説明するための図である。
【図５】ハードウェアによる実現方法の一例を示す図である。
【図６】従来の課題を説明するための図である。
【発明を実施するための形態】
【００２１】
以下、図面を参照して、本発明の実施の形態について詳細に説明する。  
図１は、本発明のレンチキュラレンズ付き３Ｄ表示装置を用いた２Ｄ画像表示方法の一実施形態を説明するための図である。ここで、同図に示すように、本実施形態においては、表示機器の各素子は、一画素ごとに赤用（ｒ）、緑用（ｇ）、青用（ｂ）の順で巡廻的に配設されているものとする。しかしながら、他の順序で配設されていてもよい。そこで、本発明のレンチキュラレンズ付き３Ｄ表示装置を用いた２Ｄ画像表示方法の一実施形態においては、一画素に対応する各素子に供給される各画素データのうち、一部を１画素分シフトする。具体的には、赤用素子、緑用素子、青用素子に供給される赤データ、緑データ、青データのうち、１つ、あるいは他の２つを全体として１画素分シフトする。更に具体的には、緑データを全体として１画素分シフトするか、あるいは赤データ及び青データを同方向に１画素分シフトする。図１（ａ）が、緑データ（・・，ｎ−２（ｇ），ｎ−１（ｇ），ｎ（ｇ），ｎ＋１（ｇ），・・）を１画素分右へシフトした場合（以下、「パターンＡ」と称す）を示しており、同図（ｂ）が、赤データ（・・，ｎ−２（ｒ），ｎ−１（ｒ），ｎ（ｒ），ｎ＋１（ｒ），・・）及び青データ（・・，ｎ−２（ｂ），ｎ−１（ｂ），ｎ（ｂ），ｎ＋１（ｂ），・・）を１画素分右へシフトした場合（以下、「パターンＢ」と称す）を示している。かかる順序で入れ替えて表示機器の各素子にデータを供給するようにすれば、同一画素の赤、緑、青の各データがセットで左右の眼に届くようになる。従って、例えば、パターンＡに基づいて、１フレームを構成する画素のデータを配列して表示することにより、見え方が大きく改善される。パターンＢに基づいても同様である。なお、上述においては、右にずらしてそれぞれパターンＡ及びパターンＢとしたが、それぞれ左にずらしてパターンＡ及びパターンＢとしてもよい。これは結局、パターンが入れ替わる関係にしか過ぎない。
【００２２】
しかしながら、図１に示したどちらかのパターンのみでフレームを構成すると、以下のような更なる不具合がある。すなわち、図１では、水平方向の各画素データが交互に左右の眼に入る構成となる。図１（ａ）に示したパターンＡでは、・・，ｎ−１，ｎ＋１，・・が左眼に入り、・・，ｎ−２，ｎ，ｎ＋２，・・が右目に入るようになる。一方、同図（ｂ）に示したパターンＢでは、その逆となる。従って、前述の水平方向に１画素のデータで構成される垂直方向に延びる直線を含むような２Ｄ画像では、その直線が左右の眼の一方の眼にしか入らないという欠点がある。
【００２３】
図２及び図３は、上記欠点を解消して更に違和感なく見えやすくする方法を説明するための図である。そのうち図２は、フレーム内の二次元方向の観点からの工夫を施した実施形態を示している。すなわち、同図においては、フレームを構成する各行ごとにパターンＡとパターンＢとを混在させる。最も典型的には、同図（ａ）に示すように、交互にパターンＡとパターンＢとを配列する（以後、「パターンＣ」と称す）。このような構成とすると、パターンＡだけでは左眼だけで見え、パターンＢだけでは右目だけで見えてしまうような前述のような直線も、左右の眼に均等に届くようになり、感覚的に両目で違和感なく見えているように感じる。なお、同図（ｂ）に示すように、２行ごとに配列してもよい（パターンＣ（変形１））。また、同図（ｃ）に示すように、画像の特性に応じて、パターンＡとパターンＢの割合が等しくなくてもよい（パターンＣ（変形２））。
【００２４】
あるいは、図３は、時間的に連続するフレームの時間方向の観点からの工夫を施した実施形態を示している。すなわち、同図においては、パターンＡで構成したフレームとパターンＢで構成したフレームを交互に配置する（以後、「パターンＤ」と称す）。かかる手法によれば、時間方向のフレームを切替え速度に応じて、上述の空間的手法と同様、感覚的に両目で違和感なく見えているように感じる。なお、変形例として、図２（ｂ）及び図２（ｃ）の観点と同様に、２フレームごとに切り替えてもよいし、パターンＡのフレームとパターンＢのフレームの割合が等しくなくてもよい。
【００２５】
図４は、図２に示した二次元空間的な観点からの工夫と、図３に示した時間方向の観点からの工夫を組み合わせた実施形態を示している。すなわち、奇数行にパターンＡを、偶数行にパターンＢを配列したフレームと、奇数行にパターンＢを、偶数行にパターンＡを配列したフレームを交互に配置する（以後、「パターンＥ」と称す）。かかる構成により、より一層違和感なく２Ｄ画像を見ることができるようになる。なお、無論、組み合わせるべき、二次元空間的な観点からの工夫として、図２（ｂ）及び図２（ｃ）のような変形例であってもよいし、組み合わせるべき、時間的な観点からの工夫として、前述のような変形例であってもよい。
【００２６】
上述のような画素データの配列・配置の各手法は、ソフトウェアよってもハードウェアによっても実現できることは当業者には自明である。図５は、例えばハードウェアで実現するための概念的な基本構成を示す図である。同図において、供給される画素データ（ｒデータ、ｇデータ、ｂデータ）でフレームメモリ１を埋めていく。ここで、ラッチ４、遅延回路５、及びラッチ６により、ある画素とその隣りの画素の各データを同時に、ｒ用切替え部２ｒ、ｇ用切替え部２ｇ、及びｂ用切替え部２ｂに供給できるように構成する。そこで、切替え制御部３がそれらの切替え部２ｒ，２ｇ，２ｂを連動させて切り替えるのであるが、このとき、一方に切り替えている場合にはパターンＡのデータがフレームメモリ１に供給され、他方に切り替えた場合にはパターンＢのデータが供給されるようにしている。そこで、かかる基本構成により、図２に示したパターンＣ（変形例を含む）を実現するためには、切替え制御部３が、行単位で各切替え部２ｒ，２ｇ，２ｂを切り替えればよいし、図３に示したパターンＤを実現するためには、切替え制御部３が、フレーム単位で各切替え部２ｒ，２ｇ，２ｂを切り替えればよい。更に、図４に示したパターンＥを実現するためには、切替え制御部３は、行単位で各切替え部２ｒ，２ｇ，２ｂを切り替える動作を基本として、更に、奇数行をパターンＡとするかパターンＢとするかを、言い換えれば偶数行をパターンＢとするかパターンＡとするかをフレーム単位で交互に切り替える。
【００２７】
以上のように、本発明のレンチキュラレンズ付き３Ｄ表示装置を用いた２Ｄ画像表示方法における一実施形態によれば、３Ｄ画像表示用として専用に構成されたレンチキュラレンズ付き３Ｄ画像表示装置をそのまま利用して２Ｄ画像を違和感なく良好に表示することができる。
【産業上の利用可能性】
【００２８】
本発明のレンチキュラレンズ付き３Ｄ表示装置を用いた２Ｄ画像表示方法は、例えば、医療分野における画像表示処理装置に採用できる。
【符号の説明】
【００２９】
１  フレームメモリ
２  切替え部
３  切替え制御部
４、６  ラッチ
５  遅延回路
１１  表示素子群
１２  レンチキュラレンズ
【図１】
2015165254.tif 000003
【図２】
2015165254.tif 000004
【図３】
2015165254.tif 000005
【図４】
2015165254.tif 000006
【図５】
2015165254.tif 000007
【図６】
2015165254.tif 000008
【手続補正書】
【提出日】平成27年1月5日(2015.1.5)
【手続補正１】
【補正対象書類名】特許請求の範囲
【補正対象項目名】全文
【補正方法】変更
【補正の内容】
【特許請求の範囲】
【請求項１】
赤用表示素子、緑用表示素子、及び青用表示素子を組として水平方向に複数組巡廻的に配設したものを垂直方法に複数配設することにより構成された表示機器と、
その表示機器の前面に配設されたレンチキュラレンズと、
を備えた三次元画像表示装置を用いた二次元画像表示方法であって、
赤データ、緑データ、及び青データの組で構成された画素データを複数含む画像データであって、三次元画像用画像データを供給する代わりに、赤データ、緑データ、及び青データの組で構成された画素データを複数含む画像データであって、二次元画像用画像データを前記表示機器の対応する素子に供給して画像を表示するにあたり、隣の画素の影響を回避すべく、緑データを水平方向の右又は左に１画素分ずらしたパターン、並びに赤データ及び青データを右又は左に１画素分ずらしたパターンの少なくとも一方を供給することを特徴とする二次元画像表示方法。
【請求項２】
赤用表示素子、緑用表示素子、及び青用表示素子を組として水平方向に複数組巡廻的に配設したものを垂直方法に複数配設することにより構成された表示機器と、
その表示機器の前面に配設されたレンチキュラレンズと、
を備えた三次元画像表示装置を用いた二次元画像表示方法であって、
赤データ、緑データ、及び青データの組で構成された画素データを複数含む画像データを前記表示機器の対応する素子に供給して画像を表示するにあたり、
緑データを水平方向の右又は左に１画素分ずらしたパターンと、赤データ及び青データを右又は左に１画素分ずらしたパターンとを混在させて供給することを特徴とする二次元画像表示方法。
【請求項３】
前記画像データを前記表示機器の一画面に相当するフレームデータとして供給する際に、各フレームデータ内に、緑データを水平方向の右又は左に１画素分ずらしたパターンと、赤データ及び青データを右又は左に１画素分ずらしたパターンとを垂直方向に混在させて供給することを特徴とする請求項２に記載の二次元画像表示方法。
【請求項４】
各フレームデータ内に、緑データを水平方向の右又は左に１画素分ずらしたパターンと、赤データ及び青データを右又は左に１画素分ずらしたパターンとを垂直方向に交互に配置して供給することを特徴とする請求項３に記載の二次元画像表示方法。
【請求項５】
前記画像データを前記表示機器の一画面に相当するフレームデータとして供給する際に、緑データを水平方向の右又は左に１画素分ずらしたパターンで満たされたフレームデータと、赤データ及び青データを右又は左に１画素分ずらしたパターンで満たされたフレームデータとを時間方向に混在させて供給することを特徴とする請求項２に記載の二次元画像表示方法。
【請求項６】
緑データを水平方向の右又は左に１画素分ずらしたパターンで満たされたフレームデータと、赤データ及び青データを右又は左に１画素分ずらしたパターンで満たされたフレームデータとを時間方向に交互に配置して供給することを特徴とする請求項５に記載の二次元画像表示方法。
【請求項７】
前記画像データを前記表示機器の一画面に相当するフレームデータとして供給する際に、緑データを水平方向の右又は左に１画素分ずらしたパターンと、赤データ及び青データを右又は左に１画素分ずらしたパターンとが垂直方向に混在して含まれる第一フレームデータと、第一フレームデータにおいて両パターンを入れ替えることにより形成した第二フレームデータとを時間方向に混在させて供給することを特徴とする請求項２に記載の二次元画像表示方法。
【請求項８】
前記第一フレームデータは、緑データを水平方向の右又は左に１画素分ずらしたパターンと、赤データ及び青データを右又は左に１画素分ずらしたパターンとを垂直方向に交互に配置して供給することを特徴とする請求項７に記載の二次元画像表示方法。
【請求項９】
前記第一フレームデータと前記第二フレームデータとを時間方向に交互に配置して供給することを特徴とする請求項７又は８に記載の二次元画像表示方法。
【手続補正２】
【補正対象書類名】明細書
【補正対象項目名】０００６
【補正方法】変更
【補正の内容】
【０００６】
【特許文献１】特開平９−２０３９８０号公報
【手続補正３】
【補正対象書類名】明細書
【補正対象項目名】０００８
【補正方法】変更
【補正の内容】
【０００８】
そこで、レンチキュラレンズ付き３Ｄ画像表示装置の構成そのままで、２Ｄ画像を表示することを考えてみる。図６（ａ）は、通常のレンチキュラレンズ付き３Ｄ画像表示装置において、左右の眼に到達する光の経路を表す図である。液晶装置に限らず、カラー画像を形成するためには、一画素に対して一組の赤（ｒ）、緑（ｇ）、青（ｂ）用の素子が対応し、それが水平方向に巡廻的に配設されて表示素子群１１が形成されている。そして、更に、その複数が垂直方向に積み重なって表示画面（機器）が形成される。ここで、同図に示すように、各素子を出た光は、レンチキュラレンズ１２により屈折されて、左眼と右眼のいずれかの方向に導かれる。ここで、かかるレンチキュラレンズ付き３Ｄ画像表示装置に、そのまま２Ｄ画像のデータを供給して表示することを考える。２Ｄ画像を表示するための各画素データ（・・・，ｎ−１，ｎ，ｎ＋１，ｎ＋２，・・・）は、同図に示すように各素子に割り当てられる。ここで注目するのは、例えば同図に示した中で、最も左の左眼へ行くデータ組は、ｎ−１（ｒ），ｎ−１（ｂ），及びｎ（ｇ）であり、隣の画素に跨いで組となっているということである。同図に示す他のデータ組も同様である。従って、このような装置構成及び機能によれば、特定の２Ｄ画像は、非常に見づらいものとなってしまう。例えば、水平方向に１画素のデータで構成される垂直方向に延びる直線を含むような２Ｄ画像である。かかる画像においては、例えば、白地に黒の直線では隣の白色画素の影響で赤色に見えてしまったり、黒地に白の直線では隣の黒色画素の影響で黄色に見えてしまったりする。
【手続補正４】
【補正対象書類名】明細書
【補正対象項目名】００１１
【補正方法】変更
【補正の内容】
【００１１】
上記目的を達成するため、本発明の三次元画像表示装置を用いた二次元画像表示方法は、赤用表示素子、緑用表示素子、及び青用表示素子を組として水平方向に複数組巡廻的に配設したものを垂直方法に複数配設することにより構成された表示機器と、その表示機器の前面に配設されたレンチキュラレンズと、を備えた三次元画像表示装置を用いた二次元画像表示方法であって、赤データ、緑データ、及び青データの組で構成された画素データを複数含む画像データであって、三次元画像用画像データを供給する代わりに、赤データ、緑データ、及び青データの組で構成された画素データを複数含む画像データであって、二次元画像用画像データを前記表示機器の対応する素子に供給して画像を表示するにあたり、隣の画素の影響を回避すべく、緑データを水平方向の右又は左に１画素分ずらしたパターン、並びに赤データ及び青データを右又は左に１画素分ずらしたパターンの少なくとも一方を供給することを要旨とする。
【手続補正５】
【補正対象書類名】明細書
【補正対象項目名】００１２
【補正方法】変更
【補正の内容】
【００１２】
また、上記目的を達成するため、本発明の三次元画像表示装置を用いた二次元画像表示方法は、赤用表示素子、緑用表示素子、及び青用表示素子を組として水平方向に複数組巡廻的に配設したものを垂直方法に複数配設することにより構成された表示機器と、その表示機器の前面に配設されたレンチキュラレンズと、を備えた三次元画像表示装置を用いた二次元画像表示方法であって、赤データ、緑データ、及び青データの組で構成された画素データを複数含む画像データを前記表示機器の対応する素子に供給して画像を表示するにあたり、緑データを水平方向の右又は左に１画素分ずらしたパターンと、赤データ及び青データを右又は左に１画素分ずらしたパターンとを混在させて供給することを要旨とする。
【手続補正書】
【提出日】平成27年6月10日(2015.6.10)
【手続補正１】
【補正対象書類名】特許請求の範囲
【補正対象項目名】全文
【補正方法】変更
【補正の内容】
【特許請求の範囲】
【請求項１】
赤用表示素子、緑用表示素子、及び青用表示素子を組として水平方向に複数組巡廻的に配設したものを垂直方法に複数配設することにより構成された表示機器と、
その表示機器の前面に配設されたレンチキュラレンズと、
を備えた三次元画像表示装置を用いた二次元画像表示方法であって、
赤データ、緑データ、及び青データの組で構成された画素データを複数含む画像データを前記表示機器の対応する素子に供給して画像を表示するにあたり、
緑データを水平方向の右又は左に１画素分ずらしたパターンと、赤データ及び青データを右又は左に１画素分ずらしたパターンとを混在させて供給することを特徴とする二次元画像表示方法。
【請求項２】
前記画像データを前記表示機器の一画面に相当するフレームデータとして供給する際に、各フレームデータ内に、緑データを水平方向の右又は左に１画素分ずらしたパターンと、赤データ及び青データを右又は左に１画素分ずらしたパターンとを垂直方向に混在させて供給することを特徴とする請求項１に記載の二次元画像表示方法。
【請求項３】
各フレームデータ内に、緑データを水平方向の右又は左に１画素分ずらしたパターンと、赤データ及び青データを右又は左に１画素分ずらしたパターンとを垂直方向に交互に配置して供給することを特徴とする請求項２に記載の二次元画像表示方法。
【請求項４】
前記画像データを前記表示機器の一画面に相当するフレームデータとして供給する際に、緑データを水平方向の右又は左に１画素分ずらしたパターンで満たされたフレームデータと、赤データ及び青データを右又は左に１画素分ずらしたパターンで満たされたフレームデータとを時間方向に混在させて供給することを特徴とする請求項１に記載の二次元画像表示方法。
【請求項５】
緑データを水平方向の右又は左に１画素分ずらしたパターンで満たされたフレームデータと、赤データ及び青データを右又は左に１画素分ずらしたパターンで満たされたフレームデータとを時間方向に交互に配置して供給することを特徴とする請求項４に記載の二次元画像表示方法。
【請求項６】
前記画像データを前記表示機器の一画面に相当するフレームデータとして供給する際に、緑データを水平方向の右又は左に１画素分ずらしたパターンと、赤データ及び青データを右又は左に１画素分ずらしたパターンとが垂直方向に混在して含まれる第一フレームデータと、第一フレームデータにおいて両パターンを入れ替えることにより形成した第二フレームデータとを時間方向に混在させて供給することを特徴とする請求項１に記載の二次元画像表示方法。
【請求項７】
前記第一フレームデータは、緑データを水平方向の右又は左に１画素分ずらしたパターンと、赤データ及び青データを右又は左に１画素分ずらしたパターンとを垂直方向に交互に配置して供給することを特徴とする請求項６に記載の二次元画像表示方法。
【請求項８】
前記第一フレームデータと前記第二フレームデータとを時間方向に交互に配置して供給することを特徴とする請求項６又は７に記載の二次元画像表示方法。
【手続補正２】
【補正対象書類名】明細書
【補正対象項目名】００１１
【補正方法】削除
【補正の内容】